(57)【特許請求の範囲】
【請求項１】
斜め上向きをなし、雑誌等を凭れ掛けさせるようになっている背面保持部の上端に後方を向く折り曲げ部を設けるとともに、背面保持部の左右両端に後方張り出し部を備える複数の陳列架の上端の後方を向く折り曲げ部を受け材の上面に止着し、かつ隣接する陳列架の背面保持部の左右両端における後方張り出し部同士を重合して、ボルトにより締着したことを特徴とする雑誌等の陳列装置。
【請求項２】
背面保持部の左右両端における後方張り出し部を、受け材の前面に当接させてなる請求項１記載の雑誌等の陳列装置。
【請求項３】
背面保持部の下縁およびに一側縁にそれぞれ設けた前方を向く下部保持部と側部保持部をもって、前面視斜め上方を向くＬ字状保持部を形成してなる請求項１または２記載の雑誌等の陳列装置。
【請求項４】
複数個の陳列架の背面保持部を互いに隣接させて並設した請求項１〜３のいずれかに記載の雑誌等の陳列装置。
【請求項５】
複数個の陳列架のそれぞれの背面保持部の左右方向の一端を前方に、他端を後方に配置した請求項１〜４のいずれかに記載の雑誌等の陳列装置。
【請求項６】
平面状の鋼板からなる背面保持部の下部を折り曲げて前方を向く下部保持部を形成し、かつ背面保持部の側部を折り曲げて前方を向く側部保持部を形成した請求項１〜５のいずれかに記載の雑誌等の陳列装置。
【発明の詳細な説明】
【０００１】
【発明の属する技術分野】
本発明は、図書館、書店等における雑誌、書籍、パンフレット等（以下これらを雑誌等と総称する）の陳列装置、特に、表紙のディスプレイ陳列を可能とする雑誌等の陳列装置に関する。
【０００２】
【従来の技術】
従来の雑誌等の陳列装置としては、左右に配列された支柱の前面に取り付けられた棚板の上面に、雑誌等の表紙を上にして並べるものが一般的である。
【０００３】
【発明が解決しようとする課題】
このような従来のものは、雑誌等を区分する左右方向の仕切りがないため、利用者が雑誌等を閲覧した後の返却位置が明確でなく、雑誌等の置き方が乱雑になりやすいという問題と、表紙をディスプレイ陳列するため、陳列可能な雑誌等の冊数が限られるという問題とがある。
【０００４】
本発明は、上述の問題点に鑑み、雑誌、パンフレットのような雑誌等の左右方向陳列位置を明確にするとともに、多くの雑誌等のディスプレイ陳列が可能な陳列装置を提供することを目的としている。
【０００５】
【課題を解決するための手段】
本発明によると、上記課題は、次のようにして解決される。
(１)  斜め上向きをなし、雑誌等を凭れ掛けさせるようになっている背面保持部の上端に後方を向く折り曲げ部を設けるとともに、背面保持部の左右両端に後方張り出し部を備える複数の陳列架の上端の後方を向く折り曲げ部を受け材の上面に止着し、かつ隣接する陳列架の背面保持部の左右両端における後方張り出し部同士を重合して、ボルトにより締着する。
【０００６】
(２)  上記(１)項において、背面保持部の左右両端における後方張り出し部を、受け材の前面に当接させる。
【０００７】
(３)  上記(１)または(２)項において、背面保持部の下縁およびに一側縁にそれぞれ設けた前方を向く下部保持部と側部保持部をもって、前面視斜め上方を向くＬ字状保持部を形成する。
【０００８】
(４)  上記(１)〜(３)項のいずれかにおいて、複数個の陳列架の背面保持部を互いに隣接させて並設する。
【０００９】
(５)  上記(１)〜(４)項のいずれかにおいて、複数個の陳列架のそれぞれの背面保持部の左右方向の一端を前方に、他端を後方に配置する。
【００１０】
(６)  上記(１)〜(５)項のいずれかにおいて、平面状の鋼板からなる背面保持部の下部を折り曲げて前方を向く下部保持部を形成し、かつ背面保持部の側部を折り曲げて前方を向く側部保持部を形成する。
【００１１】
【発明の実施の形態】
図１は、本発明の陳列装置の一実施形態を分解した状態で示している。
陳列装置は、枠体(１)と、枠体(１)に取り付けられる陳列架組立体(２)とからなっている。
【００１２】
枠体(１)は、左右の支柱(３)を上下の連結材(４)により連結してなり、下端にキャスター付きの水平方向に延出する脚(５)が取り付けられている。
支柱(３)の前面には、スリット状の係止孔(６)が、上下方向に１列に、一定間隔を隔てて多数穿設されている。
【００１３】
陳列架組立体(２)は、３種類のものが示されている。
一番上の陳列架組立体(2a)は、たとえばＡ４版のような大型の雑誌用、中段の陳列架組立体(2b)は、たとえばＢ５版の雑誌用のものであり、下段の陳列架組立体(2c)は、雑誌等を、平らにではなく、斜め縦に陳列するためのものである。
【００１４】
陳列架組立体(2a)(2b)は、実質的に同様の構成のものであり、図２を参照して、さらに説明する。
【００１５】
陳列架組立体(2a)(2b)は、複数個の陳列架(７)を受け材(８)に固着してなるものである。
陳列架(７)は、鋼板を折り曲げて形成したもので、広い平面状の背面保持部(９)の下縁が、水平に対して鋭角をもって斜めに傾斜（図示の例では左上がりに傾斜）しており、浅い幅の下部保持部(10)が折れ曲がって前方に突出している。
【００１６】
下部保持部(10)の傾斜下端（図示の例では右端）側の背面保持部(９)の側縁は、下部保持部(10)と直角をなすように斜めに傾斜しており、浅い幅の側部保持部(11)が、背面保持部(９)の面に対して直角に折れ曲がって前方に突出している。
このような下部保持部(10)と側部保持部(11)とにより、斜め上方を向くＬ字状保持部が形成されている。
【００１７】
背面保持部(９)の上端に近い中間部の左右両端には、後方張り出し部(12)が、直角に折曲げて形成されている。この後方張り出し部(12)は、側面から見ると上部よりも下部の方が漸次幅が広くなる形状とされており、その後端から、さらに内方に直角に折り曲げた垂直当接部(13)が形成されている。
後方張り出し部(12)には、連結孔(14)が穿設されている。
【００１８】
背面保持部(９)の上端は、後方へ折り曲げて、狭い幅の折り曲げ部(1５)が形成され、ここに取付孔(16)が穿設されている。
【００１９】
受け材(８)は、鋼板を折り曲げて形成したもので、その上端の後方折り返し部(17)には、上述の取付孔(16)に対応するねじ孔(18)が穿設されており、左右両端には、支柱(３)の係止孔(６)に係合しうる公知の係止片(19)が後向きに形成されている。
【００２０】
陳列架組立体(2a)の組立てに当たっては、各陳列架(７)の上端の折り曲げ部(15)を、受け材(８)の上端の後方折り返し部(17)に載せ、陳列架(７)の垂直当接部(13)を、受け材(８)の前面に当接させて、取付孔(16)をねじ孔(18)に合わせ、ねじ(20)により固定する。
なお、垂直当接部(13)の当接面も、接着またはビス止め等の手段により固着するのがよい。
【００２１】
隣接する陳列架(７)を、連結孔(14)に挿通したボルト(21)をナット(22)により締めることにより連結し、さらにこれを、上述のようにして受け材(８)に固着する。
このようにして完成した陳列架組立体(2a)では、陳列架(７)の背面保持部(９)の面は、垂直をなす受け材(８)の前面から、上向きに傾斜しており、また、前述のように、この上向きの背面保持部(９)の前面の下端片側に、斜め上方を向くＬ字状保持部が形成されている。
【００２２】
図１に示す陳列架組立体(2c)は、前方を向く複数の陳列架(７)を受け材(８)に取り付けて構成したものである。
【００２３】
図３に示すように、支柱(３)の係止孔(６)に係止片(19)を係止させることにより、任意所望の陳列架組立体(２)を枠体(１)に取り付けて陳列装置を完成させることができる。
雑誌等は、垂直に対して斜め上向きとなった背面保持部(９)に凭れかけられ、かつＬ字状保持部に斜め上向きに落ち着いて収容される。
【００２４】
【発明の効果】
本発明によれば、次のような効果を奏することができる。
(ａ)請求項１記載の発明によれば、それぞれ独立した陳列架を受け材に複数個固着させているので、個々の雑誌等の陳列位置及び返却位置が明確になり、陳列状態を常に最良に保つことができる。
また、受け材が支柱に係止されているため、サイズ、陳列数の組み合わせの変更が容易にできる。
【００２５】
(ｂ)請求項２記載の発明によれば、下部保持部及び側部保持部で形成されるＬ字状保持部が、斜め上方を向いているので、雑誌を常に開放側とは逆側に片寄せて位置させることができる。
【００２６】
(ｃ)請求項３記載の発明によれば、複数個の陳列架の背面保持部を互いに隣接させて並設してあるので、雑誌の表紙を、隣接するもの同士が重なることなく陳列することができる。
【００２７】
(ｄ)請求項４記載の発明によれば、複数個の陳列架のそれぞれの背面保持部の左右方向の一端を前方に、他端を後方に配置させてあるから、受け材に多くの陳列架を配置し、多くの雑誌の表紙を前方から見ることができる。
【００２８】
(ｅ)請求項５記載の発明によれば、平面状の鋼板からなる背面保持部の下部を折り曲げて下部保持部を、また、側部を折り曲げて側部保持部を形成してあるから、陳列架を安価に製作することができ、ひいては陳列装置をコスト安に提供することができる。
【図面の簡単な説明】
【図１】  本発明の陳列装置の一実施形態を分解した状態で示す斜視図である。
【図２】  陳列架を分解した状態て示す拡大斜視図である。
【図３】  組み立てた状態の陳列装置の斜視図である。
【符号の説明】
(１)枠体
(２)(2a)(2b)(2c)陳列架組立体
(３)支柱
(４)連結材
(５)脚
(６)係止孔
(７)陳列架
(８)受け材
(９)背面保持部
(10)下部保持部
(11)側部保持部
(12)後方張り出し部
(13)垂直当接部
(14)連結孔
(15)折り曲げ部
(16)取付孔
(17)内方折り返し部
(18)ねじ孔
(19)係止片
(20)ねじ
(21)ボルト
(22)ナット
【図１】
0003697651.tif 000002
【図２】
0003697651.tif 000003
【図３】
0003697651.tif 000004